(57)【特許請求の範囲】
【請求項１】
複数の固定具から供給される固定具を打ち込む固定工具のための、鼻部材とシャーブロックとの組立体であって、
前記工具に取り付けられるように形成され、筒部の一部分を形成する鼻部材と、
前記鼻部材に固定され、前記筒部を完成するように形成されたシャーブロックとを具備し、
前記筒部は、固定具を受け入れる開口部を有し、
当該組立体は更に、前記開口部に隣接する固定具に当接して付勢力を及ぼすように形成され、固定具の大きさに応じて前記開口部の長さを変化させるように自動的に固定具の大きさに応じて調整される付勢機構を具備し、
前記シャーブロックは第一ボスを更に具備し、前記鼻部材は、該鼻部材に滑動可能に取り付けられた製作品接触要素と、前記製作品接触要素が製作品と係合するとき前記第一ボスと係合するように形成された少なくとも一つのキャップ部とを更に有する、組立体。
【請求項２】
前記付勢機構は、前記開口部の使用されない部分を覆う、請求項１に記載の組立体。
【請求項３】
前記開口部は、固定具の長手方向が前記筒部とほぼ平行に方向付けられている固定具を受け入れる、請求項１に記載の組立体。
【請求項４】
前記付勢機構は、跳ね返りレバーを具備する、請求項１に記載の組立体。
【請求項５】
前記付勢機構は、前記シャーブロックに旋回可能に取り付けられる、請求項４に記載の組立体。
【請求項６】
前記付勢機構は、さらにスプリングを具備する、請求項１に記載の組立体。
【請求項７】
前記鼻部材は、前記キャップ部により係合可能に形成された第二ボスを更に具備する、請求項１に記載の組立体。
【請求項８】
前記第一ボスおよび前記第二ボスは、直線的で同軸上に配置される、請求項７に記載の組立体。
【請求項９】
固定具は整列テープに取り外し可能に取り付けられて供給され、前記鼻部材は窓部を具備し、前記窓部は前記整列テープの通り道と整列し、固定具が前記筒部に入るときに前記整列テープの除去を可能する、請求項１に記載の組立体。
【請求項１０】
前記付勢機構は、前記開口部の使用されない部分を覆う、請求項９に記載の組立体。
【請求項１１】
前記付勢機構は、跳ね返りレバーを具備する、請求項９に記載の組立体。
【請求項１２】
前記付勢機構は、スプリングを具備する、請求項９に記載の組立体。
【発明の詳細な説明】
【０００１】
【発明の属する技術分野】
本発明は、概して、固定具打ち込み工具、特に、いろいろな大きさの固定具に利用できるように形成された固定具打ち込み工具の改良に関する。本工具は、大きさの異なる固定具に対して、詰まりを減らし、工具の取り扱いを容易にし、より正確に固定具を配給するように自動的に適合する。
【０００２】
【従来の技術】
製作品内への固定具の打ち込みに使用する組立作業用動力工具は、よく知られている。組立作業用工具は、通常、携帯可能であり、気体または燃焼により動力が供給される。同様の気体式工具は、公知である（特許文献１，２，３参照）。また、燃焼式工具も公知である（特許文献４，５，６，７，８，９，１０参照）。そして、特に装飾の適用のために形成されているような燃焼式固定具もまた公知である（特許文献１１）。同様の燃焼式の釘およびステープル打ち込み工具は、ＩＴＷ-Ｐａｓｌｏｄｅ社からＩＭＰＵＬＳＥ商標で入手可能である。
【０００３】
このような工具は、気体式シリンダーまたは小さな内燃エンジンのような動力源を囲む、全体的に銃形状の工具ハウジングを組み込んでいる。エンジンは、燃料セルとも称する加圧された燃料ガスの容器から動力が供給される。動力は、燃焼チャンバー内の燃料の燃焼または気体式シリンダー内の空気の膨張による圧縮ガスの膨張から生成される。動力源は、シリンダー本体のピストンチャンバー内に配置された細長く硬質な打ち込みブレードを有し往復運動するピストンを動かす。安全保護装置は、鼻部材または鼻部材組立体の端部で製作品接触要素が製作品に押圧されていないにもかかわらず工具が発射されることを妨げる。
【０００４】
引き金が引かれると、ガスまたは空気の膨張により、ピストンおよび打ち込みブレードは、配置された固定具と衝接し、配置された固定具を製作品内へ打ち込みように下側方向へ勢いよく動かされる。ピストンが下側方向へ動かされると、ピストンの下側のピストンチャンバー内で囲まれた押しのけ容積は、シリンダーの下方端部に設けられた一つ以上の排出ポートを通して強制的に排出される。衝接後、ピストンは、シリンダー内のガスの圧力差により最初の位置または”準備”位置に戻る。固定具は、固定具が打ち込みブレードの衝接を受け入れるように適当に位置付けられた方向で保持されているマガジンのような供給組立体から鼻部材筒部内に送給される。固定具は、打ち込みブレードにより筒部の長手方向に渡って動かされ、製作品表面で筒部から抜け出る。打ち込みブレードの力および固定具の勢いにより、固定具は製作品を突き通すように打ち込まれる。
【０００５】
組立作業用工具は、一般に、木に釘を打ち込むような住宅建築に主に使用される。プレートや地震用のひも材料を結合する吊りがね梁部材のような金属製品は、頻繁に、該金属製品の穴部またはスロット部内の比較的正確な固定具の設置が必要となる木の組立体に取り付けられる。ＰＯＳＩＴＩＶＥ  ＰＬＡＣＥＭＥＮＴ工具（登録商標）は、固定具を正確に設置することが所望される場合に使用される特殊な組立作業用工具である。この工具は、金属製品の開口部との固定具の整列を補助するプローブを有する。
【０００６】
長さの異なる（３８．１ｍｍ（１．５インチ）および６３．５ｍｍ（２．５インチ））少なくとも２つの釘が、一般的にこれらの適用に使用される。これらの工具の現状のデザインにおいては、異なった長さの釘に変更するとき、使用者は工具の設定を変更する必要がある。使用者は、跳ね返りレバーからスプリング付勢プランジャーの係合を解放するように、初めに該スプリング付勢プランジャーを引っ張らなければならない。跳ね返りレバーはピン周りに約６０度旋回する。外側位置にプランジャーが保持されている間に、レバーは、ハンドルを介して他の位置へ回転されなければならない。プランジャーが解放されるとき、プランジャーは、新しい位置でレバーが固定されるようにレバーと再度係合する。このように操作には両手が必要であり、一方は工具を保持し、他方はプランジャーを引っ張り回転させ再係合することを可能にするのに必要となる。建設環境においては、使用者は、しばしば、不便な場所で、二つ以上の製作品を整列し一緒に固定しようとする。設定変更を行うために両手を自由にしておくことは、常に実用的ではない。
【０００７】
また、現状の入手可能な工具においては、レバーが長い釘のために設定されているときに、使用者がマガジン内へ短い釘を積み込むことを禁止する機構はない。長い釘のための設定時においては、釘が入ることを許可するように鼻部材への長い開口部が存在する。工具がこの状態で操作されたならば、短い釘は、開口部の長手方向を移動する前に回転し詰まりを引き起こす。打ち込み機構は釘と鼻部材との間に詰め込まれ、打ち込み機構が動けなくなり、工具を操作不能にする。この状態は、多岐の領域にわたる工具の故障を引き起こす。
【０００８】
また、短い釘が打ち込まれるときにおける短い釘の回転または転倒により釘の射程は不正確になる。固定具の寸法の相違は、筒部内での小さな固定具の動きをさらに自由にする。釘が筒部の下側へ動かされるときにおける釘の横方向の動きは、釘が筒部の垂直軸線と比較して不規則な方向で筒部を抜け出ることを許可する。固定具がきちんとした通り道に沿って鼻部材を移動するときに、釘は正確に設置される。釘の回転を低減することにより、釘を良好に制御し、さらに正確に釘を設置することが可能となる。
【０００９】
短い釘を使用するときの正確性の問題点は、ラーセン（Ｌａｒｓｅｎ）による米国特許第６，２７９，８０８号の中で取り組まれている。ラーセン（Ｌａｒｓｅｎ）は、筒部内に突出する付勢されたアームを有する二種類の釘のための銃ガイドを開示しており、該銃ガイドは、釘が筒部の下側へ動かされアーム部のそばを通過するときに各釘に力を及ぼす。アームの付勢力は、釘の砲身筒部の一側部に各釘を押し付け、釘が筒部から抜け出るときにおける釘の方向の正確性および一貫性を向上する。しかし、この機構においては、固定具が筒部に入るときにではなく、鼻部材を抜け出るときに固定具に付勢力を及ぼす。短い固定具が筒部に入るときにおける転倒による短い固定具の詰まりを防止することはできない。この参照文献は、釘ガイドが異なった長さの固定具の自動的な調整に役立つことを教示するものではなく、また、含意するものでもない。
【００１０】
現状の鼻部材のデザインのもう一つの問題点は、筒部内において整列紙が堆積する可能性があることである。通常、打ち込みブレードが固定具と衝接し、固定具を筒部を通して製作品内へ動かすときに、固定具は迅速に整列紙から引き剥がされる。紙は固定具にくっついて離れないことがあり、または、次の固定具に取り付けられて残存することもある。もし、紙の一部分が固定具とともに筒部を通して担持されるならば、固定具が製作品に突き通されることにより、紙は緩められ直ちに散乱してしまう。しかしながら、時々、紙は固定具および打ち込みブレードにより押しのけられて、次の固定具に取り付けられたまま残存する。次の固定具へ紙が取り付けられて残存するとき、整列紙は、次の固定具の筒部への十分な入り込みを妨げる可能性がある。このような状態における工具の発射は、釘の制御を不十分にし、詰まりをもたらす。
【００１１】
【特許文献１】
米国特許第４，９３２，４８０号
【特許文献２】
米国特許第３，５５２，２７４号
【特許文献３】
米国特許第３，８１５，４７５号
【特許文献４】
再発行米国特許第３２，４５２号
【特許文献５】
米国特許第４，４０３，７２２号
【特許文献６】
米国特許第４，４８３，４７３号
【特許文献７】
米国特許第４，４８３，４７４号
【特許文献８】
米国特許第４，５５２，１６２号
【特許文献９】
米国特許第５，１９７，６４６号
【特許文献１０】
米国特許第５，２６３，４３９号
【特許文献１１】
米国特許第６，０１６，６２２号
【００１２】
【発明が解決しようとする課題】
本発明の目的は、使用者による手動の介入なしに、いろいろな大きさの固定具に適合する改良された固定具打ち込み工具を提供することである。
【００１３】
本発明のもう一つの目的は、より正確に短い固定具を設置する改良された固定具打ち込み工具を提供することである。
【００１４】
本発明のさらにもう一つの目的は、鼻部材での固定具の詰まりを低減する改良された固定具打ち込み工具を提供することである。
【００１５】
本発明のさらなるもう一つの目的は、整列紙が詰まる前に、工具の筒部から、整列紙を取り除くことを可能にする改良された固定具打ち込み工具を提供することである。
【００１６】
【課題を解決するための手段】
これらの目的および他の目的は、異なった大きさの固定具を収容するように、鼻部材筒部の長さを自動的に調整する、鼻部材とシャーブロック（剥離ブロック）との組立体を特徴とする本発明により満たされ、または、それを超えて満たされる。
【００１７】
特に、本発明は、複数の固定具から供給される固定具を打ち込む固定工具のための、鼻部材とシャーブロックとの組立体を提供する。組立体は、工具に取り付けられるように形成され筒部の一部分を形成する鼻部材と、筒部を完成するために鼻部材に固定されるように形成されたシャーブロックとを有する。筒部には固定具を受け入れる開口部を有する。また、組立体は、固定具の大きさに応じて調整する付勢機構を有し、該付勢機構は、開口部に隣接する固定具に当接して付勢力を及ぼす。
【００１８】
本発明の好適な実施例においては、鼻部材とシャーブロックとの組立体に、整列テープに取り外し可能に取り付けられた固定具を供給する。鼻部材の少なくとも一つの窓部は、整列テープの通り道に整列され、固定具が筒部に入るときのテープの除去を可能にする。
【００１９】
本発明の固定具打ち込み工具は、固定具の長さに応答して筒部への開口部の自動的な調整を提供する。跳ね返りレバーのような固定具の大きさに応じて調整する機構の点周りの旋回を可能にし、固定具方向へ該機構を付勢することにより、該機構は固定具の長さに自動的に適合する。工具をしっかりつかみ、跳ね返りレバーを回転し、新しい位置にレバーを固定するためにレバーを解放する間、使用者はプランジャーを引っ張る必要はない。さらに重要なことは、本固定具調整の特徴は、使用者が固定具を交換し、跳ね返りレバーの位置を動かすことを忘れた場合の工具の故障を排除することである。また、新規の工具は、特に、変更するために工具を置くための場所を見つけることが困難であるような作業環境において有益となる。本調整機構は、筒部の開口部により収容されうる最も短い固定具と最も長い固定具との間における連続な大きさ調整を提供する。
【００２０】
また、本発明により、短い釘のための設置の正確性が改善される。短い固定具においては使用されない開口部の一部分を覆うための跳ね返りレバーの動きは、短い固定具が筒部の壁に当たって跳ね返り、シャーブロック内へ跳ねて入ることを妨げる。この跳ね返りレバーの動きは、より真っ直ぐな通路を提供し、筒部内での釘の回転をより小さくし、さらに予定通りの釘の設置を可能にする。
【００２１】
鼻部材に設置される少なくとも一つの好ましくは複数の窓部は、固定具を集合させている整列テープのための出口を提供する。もし、テープが固定具とともに放出されない場合、窓部の利用により、筒部内または鼻部材内のテープの堆積は妨げられる。紙テープが筒部の壁の一部分と交差する典型的な窓部の整列は、テープが堆積することなしに抜け出ることを可能にし、釘の頭部およびシャンク部が開口部と反対側の筒部の表面と接触するまで、次の釘が鼻部材の筒部に全体的に入ることを可能にする。
【００２２】
【発明の実施の形態】
図１から図３を参照すると、打ち込みブレードを有し、鼻部材とシャーブロックとの組立体１２を備える動力工具１０が示されている。工具１０は、一般的に、釘付け作業や組立作業におけるような、製作品１６内へ固定具１４を打ち込むために使用される。固定具１４は、通常、工具１０に取り外し可能に取り付けられたマガジン１８内に積み込まれる。固定具１４は、製作品１６内に十分に打ち込まれる任意のタイプの固定具でよく、例えば、釘、無頭釘、ステープル、画鋲などのようなものである。同一の方向で多数の固定具１４を保持し、一度に多くの固定具を取り扱うために、通常、固定具は整列テープ２０に取り付けられ、該整列テープは一般的に紙やプラスチックで作られている。このような動力工具１０の全体的な外観や操作の詳細は、前述に参照された特許の中で、より詳細に記載されている。本文で使用される方向に関する記載は、図１に示されるように、工具１０は、鼻部材２２が製作品１６とほぼ垂直をなし接触するように方向付けられたときの方向を示すものである。
【００２３】
図２および図３を参照すると、組立体１２は、工具１０に取り付けられるように形成された鼻部材２２を有する。管状の筒部２４は、鼻部材２２により少なくとも部分的に形成され、固定具が打ち込みブレード２６により製作品１６内へ打ち込まれるときに固定具１４を案内する。筒部２４は、工具１０が固定具１４の打ち込み準備が整っている時、工具１０の本体２８に近い打ち込みブレード２６の静止位置から、製作品１６の表面のところの出口２９まで延在する。筒部２４の後ろ側に面する開口部３０は、マガジン１８から固定具１４を受け入れ、該マガジンは、固定具１４の突き通し部分３２が製作品１６に最も接近し、固定具の長手方向が筒部とほぼ平行になるように方向付けられている。工具１０が製作品１６と接触し使用者により引き金３４（図１）が引かれるとき、打ち込みブレード２６は筒部２４を通して迅速に移動する。開口部３０で、打ち込みブレード２６は固定具１４と接触し、筒部２４の残りの長さを通して製作品１６内に固定具を動かす。
【００２４】
選択的に、鼻部材２２は、図４に最もよく示され筒部２４に延在する一つ以上の窓部３６を有する。窓部３６は、整列テープ２０の通り道と整列するように構成配置される。窓部３６の形状は、好ましくはスロット形状であるが、適合する任意の形状でよい。整列テープ２０が前の固定具１４により引き剥がされない場合、整列テープは窓部３６を通して突き出るように整列され、次の固定具１４が完全に筒部２４に入ることを可能にする。整列テープ２０は、工具１０のその後の発射により追い散らされる可能性が高い。時折、整列テープ２０は、折り曲げられるか、湾曲されるか、さもなければ整列不良を生じ、窓部３６との整列に失敗し、筒部２４内で堆積し始める。このような場合において、窓部３６は、使用者が紙２０の堆積を監視することを可能し、詰まりを起こす前にテープ２０を除去することを可能にする。筒部２４へのアクセスは、整列テープ２０の詰まりに対する撤去を容易にすることを提供する。筒部へのアクセスを提供するための、当該技術分野で知られているいかなる形状も本発明において有益である。一つの好適な組立体１２では、鼻部材２２により一部分が形成され、筒部を完全にするために鼻部材に固定されるように形成された隣接するシャーブロック４０により一部分が形成される筒部２４を有する。図７に示されるように鼻部材２２とシャーブロック４０とが互いに隣接し分離可能に筒部２４を形成する利点は、組立体１２から簡単に詰まりが除去されることである。
【００２５】
図２および図３を参照すると、組立体１２は、固定具の大きさに応じて調整する付勢機構４２を有する。好ましくは、機構４２は、跳ね返りレバーで形成され、該跳ね返りレバーは、シャーブロック４０に旋回可能に取り付けられ、跳ね返りレバーが固定具１４の長さに応答して旋回するように配置される。固定具１４は、マガジン１８から、ほぼ鉛直に方向付けられた筒部２４の開口部３０内へ移動する。開口部３０の長さは、工具１０で使用しようとする最も長い固定具１４の長さと少なくとも同じ長さである。長い固定具１４が開口部３０の方へ向いマガジン１８の下側へ移動するとき、固定具１４の突き通し端部３２は跳ね返りレバー４２に接触する。跳ね返りレバー４２は、図２に示されるようにスプリング４５（隠れ線により示されている）により上方向へ動くように付勢され、跳ね返りレバーを固定具１４に押圧する。固定具１４は跳ね返りレバー４２を下方向へ押圧し、固定具１４の通り道から跳ね返りレバーを押し出す。
【００２６】
跳ね返りレバー４２の一面は、開口部３０の使用されない部分を覆い隠すので、閉鎖面４６と称する。閉鎖面４６は工具１０の筒部２４に隣接する。跳ね返りレバー４２は、固定具１４の長さに関係して上下に旋回し、閉鎖面４６は、跳ね返りレバー４２が旋回するときに開口部３０の長さを効果的に変化させる。閉鎖面４６の形状は決定的なものではないが、円弧形状であることが好ましい。
【００２７】
固定具１４が打ち込まれると、次ぎに、打ち込みブレード２６は、長手方向上へと筒部内２４に引っ込められ、開口部３０を通過して上方向へ移動し、次の固定具１４が、スプリングを有するクリップまたはマガジン１８により筒部２４内へ押し込まれる。工具１０が発射されると、打ち込みブレード２６は固定具１４と接触し、筒部２４の下側へ固定具を押し始め、固定具は壁４８から跳ね返される傾向があり、開口部３０を通して筒部から抜け出し始める。長い釘１４が積み込まれているときは、跳ね返った釘は、しばしば、マガジン１８内の次の釘に当たり、筒部２４内に跳ね返される。しかし、短い釘１４が使用されるときにおいては、該短い釘は、開口部３０を通して回転し、次の固定具１４の端部の下側で筒部２４から部分的に抜け出る。閉鎖面４６により固定具１４の底部と開口部の底部との間で開口部３０を閉鎖することにより、固定具が跳ね返るときでさえ、固定具は筒部２４内に保持される。
【００２８】
より小さい釘１４に変更することを望むとき、改良された鼻部材とシャーブロックとの組立体１２は、工具１０が異なった長さの固定具に自動的に適合することを可能にする。短い固定具１４がマガジン１８を通過するとき、短い固定具は、長い釘の場合と同じ量の回転を跳ね返りレバー４２に引き起こさない。長い釘１４の場合と比較し、スプリング４５の付勢力は克服されず、短い釘により跳ね返りレバー４２はほとんど押し下げられることはなく、筒部２４に隣接する、より多くの閉鎖面４６が開口部３０の使用されない部分を閉鎖する。短い釘１４が壁４８から跳ね返されるとき、短い釘はシャーブロック４０へ入らないで、閉鎖面４６に遭遇し、筒部２４内へ戻るように偏向される。跳ね返りの影響を低減することは、固定具１４が筒部２４を通る、より真っ直ぐな通路に沿って動かされ、固定具を正確に設置するように改良されたＰＯＳＩＴＩＶＥ  ＰＬＡＣＥＭＥＮＴ工具（登録商標）１０に特に有益である。
【００２９】
クリップまたはマガジン１８が、固定具１４の追加の供給に伴い変更または補充されるとき、跳ね返りレバー４２は、新しく積み込まれる固定具の長さに自動的に適合する。固定具１４がスムーズに通過できるように、固定具１４は、邪魔にならない所に跳ね返りレバーを十分に押し、スプリング４５により提供される付勢力は、跳ね返りレバーが固定具１４の突き通し先端部３２と接触し開口部３０の使用されない部分を閉鎖するように、跳ね返りレバー４２を上側へ押す。固定具１４の長さに関係なく、跳ね返りレバー４２は突き通し先端部３２に接触するように旋回する。
【００３０】
図７を参照すると、このタイプのいくつかの工具１０では、ラッチの働きによりシャーブロック４０から容易に鼻部材２２を分離することにより迅速な除去が可能である。この特徴は、多数の部品を解体することなく、詰まりを除去するために工具１０の筒部２４を迅速に開き、再び筒部を閉じるために使用される。このような形態は当該技術分野においてよく知られている。発射の間に働く力は筒部２４の壁を押圧する傾向があり、鼻部材２２とシャーブロック４０とを引き離そうとする。鼻部材２２とシャーブロック４０とが分離可能な場合、応力はラッチ機構にかかるか、または、鼻部材２２とシャーブロック４０とを一緒に保持する他の通常の機構にかかる。もし、ラッチが多くの使用により摩耗されるならば、発射中に係合がはずされ、鼻部材２２とシャーブロック４０とがばらばらになりうる。
【００３１】
ラッチの破損の可能性は、製作品接触要素のような可動要素５６上の隆起キャップ部５４と噛み合い係合するシャーブロック４０上の少なくとも一つのボス５２を組み込むことにより最小限にされる。図５に示されるように製作品接触要素５６の下端位置または静止位置において、製作品接触要素５６は、工具１０が製作品１６に接触していないにもかかわらず発射しないことを保証するように発射機構（図示されていない）と連動する。この位置において、鼻部材とシャーブロックとは分離可能であり、もし必要ならば使用者は詰まりを除去することが可能である。詳細は後述されるが、製作品接触要素５６が、図６に示されているような発射位置へ筒部２４の長手方向に平行な動きで上側へ押されると、製作品接触要素５６はシャーブロック４０と係合する。この位置において、工具１０は発射可能であり、鼻部材２２とシャーブロック４０との分離は禁止される。製作品接触要素５６は、好ましくは、工具１０が製作品１６の面から持ち上げられたときに、自動的に静止位置に戻るように付勢されたスプリングである。工具１０の発射後、発射機構は、製作品接触要素５６の係合により再度作動されるまで働かないようにされる。
【００３２】
隆起キャップ部５４は、筒部２４に平行な方向でボス５２上を容易に動けるように形成され、シャーブロック４０からの鼻部材２２の分離を可能にする動きを妨げるように形成されている。図８に示されるように、ボス５２は、ほぼ半円の断面を有しているが、三角形や矩形などの他の断面形状も適合する。製作品接触要素５６が、製作品１６上への工具１０の設置に応答して上側へ移動するとき、キャップ部５４は、図６に示されるようにボス５２上を滑動する。図７は、鼻部材とシャーブロックとの組立体１２を迅速に分離できるように、工具１０が製作品１６から解放され、キャップ５４がボス５２から解放されている状態を示している。このように、工具１０の発射の間において鼻部材２２とシャーブロック４０とが偶発的に分離することはなく、工具１０の発射が無効になったときのみ、詰まりを除去することが可能となる。
【００３３】
図５、図６および図７をさらに参照し、シャーブロック４０は、第一ボスとも称する一つ以上のボス５２を選択的に有し、鼻部材２２は一つ以上の第二ボス６０を有する。キャップ部５４を複数使用することが考えられるが、実利的な実施例では、直線的で同軸上に配置される複数のボス５２，６０と係合する単一のキャップ部を使用する。ボス５２、６０は、好ましくは、製作品接触要素が製作品１６と係合するときに、ボス５２，６０の両方が、製作品接触要素５６のキャップ部５４により覆われ、製作品接触要素５６のキャップ部５４と係合可能なように配置される。キャップ部５４およびボス５２，６０をさらに固定するために追加の機構の使用が考えられ、たとえば、ボス上のスロットと係合するキャップ部上のフランジ、または、ボスを通る穴部と係合するキャップ部の内側のピンが考えられる。最も好適な配置は、鼻部材２２上に二つのボス６０と、シャーブロック４０上に少なくとも一つのボス５２とを有し、この配置は、図１、図５、図７および図８に示される。
【００３４】
鼻部材とシャーブロックとの組立体の特定の実施例を図示し記述してきたが、より広い態様および特許請求の範囲における発明から逸脱しない変形および変更が可能であることは、当業者により理解されうる。
【図面の簡単な説明】
【図１】本発明のＰＯＳＩＴＩＶＥ  ＰＬＡＣＥＭＥＮＴ工具（登録商標）の斜視図である。
【図２】短い釘が積み込まれている図１の工具における、鼻部材とシャーブロックとの組立体と、マガジンとの断面図である。
【図３】長い釘が積み込まれている図２の組立体の断面図である。
【図４】釘のストリップが破線で示されている、鼻部材窓部の詳細側面図である。
【図５】鼻部材とシャーブロックとの組立体が製作品接触要素およびキャップ部を有し、キャップ部が複数のボスから解放されている状態を示す、鼻部材とシャーブロックとの組立体の詳細側面図である。
【図６】キャップ部が複数のボスと係合している状態を示す、図５の組立体の側面図である。
【図７】シャーブロックが鼻部材から分離している、図５の組立体の側面図である。
【図８】図５の組立体の底面図である。
【符号の説明】
１０…工具
１２…鼻部材とシャーブロックとの組立体
１４…固定具
１６…製作品
２２…鼻部材
２４…筒部
４０…シャーブロック
４２…固定具の大きさに応じて調整する付勢機構
【図１】
0004316927.tif 000002
【図２】
0004316927.tif 000003
【図３】
0004316927.tif 000004
【図４】
0004316927.tif 000005
【図５】
0004316927.tif 000006
【図６】
0004316927.tif 000007
【図７】
0004316927.tif 000008
【図８】
0004316927.tif 000009